(57)【要約】      （修正有）【課題】広告が掲載されているウェブサイトにおいてユーザにサービスを提供する際、ユーザの広告の閲覧状態によってユーザに課金するサービス料金を減額して、広告を閲覧するユーザの料金負荷を軽減し、ユーザの広告の閲覧を促進させることを可能とする。【解決手段】ログイン管理部１１７により、サイトへのユーザの連続閲覧時間を計数してログイン管理データ１０２として記憶装置に格納し、広告閲覧時間管理部１１９により、サイトの連続閲覧中における、当該サイトに掲載された広告へのユーザの閲覧時間を、掲載広告毎に計数して広告閲覧時間管理データ１０４として記憶装置に格納し、サービス利用料金計算部１１８により、ログイン管理部１１７が計数した連続閲覧時間に応じたユーザへの課金額を、広告閲覧時間管理部１１９が計数した広告毎の閲覧時間に応じて減額して算出する。【選択図】図１
2010224871.tif 000002
【特許請求の範囲】
【請求項１】
プログラムされたコンピュータ処理によって、ネットワークを介してサービスを提供するサイトを利用したユーザに対して課金する金額の算出を行うサイトサービス課金システムであって、
プログラムされたコンピュータ処理を実行する手段として、
上記サイトに対する課金対象ユーザの連続閲覧時間を計数して記憶装置に格納するログイン管理手段と、
上記サイトに対する上記課金対象ユーザの連続閲覧中における、該サイトにおける掲載広告への該課金対象ユーザの閲覧時間を、掲載広告毎に計数して記憶装置に格納する広告閲覧時間管理手段と、
上記ログイン管理手段が計数した連続閲覧時間に応じたユーザへの課金額を、上記広告閲覧時間管理手段が計数した広告毎の閲覧時間に応じて減額して算出するサービス利用料金計算手段と
を有することを特徴とするサイトサービス課金システム。
【請求項２】
プログラムされたコンピュータ処理によって、ネットワークを介してサービスを提供するサイトを利用したユーザに対して課金する金額の算出を行うサイトサービス課金システムであって、
プログラムされたコンピュータ処理を実行する手段として、
上記サイトに対する課金対象ユーザの連続閲覧時間を計数して記憶装置に格納するログイン管理手段と、
上記サイトに対する上記課金対象ユーザの連続閲覧中における、該サイトにおける掲載広告への該課金対象ユーザの閲覧時間を、掲載広告毎に計数して記憶装置に格納する広告閲覧時間管理手段と、
上記ログイン管理手段が計数した連続閲覧時間から上記広告閲覧時間管理手段が計数した広告毎の閲覧時間の合計を差し引いた時間と当該サイトに対して予め定められた時間単価とを乗算して非閲覧時料金を算出すると共に、
上記広告閲覧時間管理手段が計数した各掲載広告毎の閲覧時間と各掲載広告に対して予め定められた時間単価とを乗算して閲覧時料金を算出し、
算出した非閲覧時料金と閲覧時料金との合計を、当該ユーザに課金するサービス利用料金として算出するサービス利用料金計算手段と
を有することを特徴とするサイトサービス課金システム。
【請求項３】
プログラムされたコンピュータ処理によって、ネットワークを介してサービスを提供するサイトを利用したユーザに対して課金する金額の算出を行うサイトサービス課金システムであって、
プログラムされたコンピュータ処理を実行する手段として、
上記サイトに対する課金対象ユーザの連続閲覧時間を計数して記憶装置に格納するログイン管理手段と、
上記サイトに対する上記課金対象ユーザの連続閲覧中における、該サイトにおける掲載広告への該課金対象ユーザの閲覧時間を、掲載広告毎に計数して記憶装置に格納する広告閲覧時間管理手段と、
上記ログイン管理手段が計数した連続閲覧時間と当該サイトに対して予め定められた時間単価とを乗算して利用料金を算出すると共に、
上記広告閲覧時間管理手段が計数した各掲載広告毎の閲覧時間と各掲載広告に対して予め定められた時間単価とを乗算して減額料金を算出し、
上記利用料金から上記減額料金を差し引いた値を、当該ユーザに課金するサービス利用料金として算出するサービス利用料金計算手段と
を有することを特徴とするサイトサービス課金システム。
【請求項４】
コンピュータを、請求項１から請求項３のいずれかに記載のサイトサービス課金システムにおける各手段として機能させるためのプログラム。
【請求項５】
プログラムされたコンピュータ処理によって、ネットワークを介してサービスを提供するサイトを利用したユーザに対して課金する金額の算出を行うシステムのサイトサービス課金方法であって、
プログラムされたコンピュータの処理実行手順として、
請求項１から請求項３のいずれかに記載のサイトサービス課金システムにおける各手段が実行する処理手順を含むことを特徴とするサイトサービス課金方法。
【発明の詳細な説明】
【技術分野】
【０００１】
本発明は、ネットワークを介してサービスを提供するサイトを利用したユーザに対する課金（ユーザに支払料金を課す）技術に係り、特に、インターネットにおける広告を掲載したウェブサイトの利用料金の課金を効率的に行うのに好適な技術に関するものである。
【背景技術】
【０００２】
インターネット利用者の増加と共に、インターネット広告が普及し、ここ数年でインターネット広告費は爆発的な伸びをみせている。２００９年は、インターネット広告が史上初めて新聞広告を抜き、テレビに次ぐ第２の広告メディアに躍り出る見通しとなっている。
【０００３】
現在では、多くのウェブサイト（Ｗｏｒｌｄ  Ｗｉｄｅ  Ｗｅｂ上にあるウェブページの集まりで、単にサイトとも呼ばれることがある）にインターネット広告が掲載され、ユーザに有益な情報を提供している。サービスを提供する有料サイト（サービスサイト）も例外ではなく、インターネット広告が掲載されている。
【０００４】
広告提供者は、このようなサービスサイトに対して広告掲載料を支払っており、サービスサイトは、利用ユーザからサービス利用料も徴収している。
【０００５】
広告提供者がサイトにインターネット広告を掲載するのは、より多くのユーザに広告を閲覧してもらうためである。
【０００６】
しかし、このような有料のサービスサイトにおいて、ユーザがサービスを利用することで支払う料金は、サービス提供者の定めた固定料金であり、広告の閲覧有無や閲覧回数に関係なく徴収される。その結果、ユーザが広告閲覧中で、サービスを利用していないにもかかわらず、ユーザはサービス利用料が徴収される。
【０００７】
このような状況に対し、例えば特許文献１（特開２００３−２７１８７５号公報）に記載の技術のように、広告の表示位置や大きさによって課金計算方式が変化する仕組みを提供する技術がある。
【０００８】
しかし、この技術により、広告の表示位置や大きさによってサービス利用料の課金計算方式を変更したとしても、実際にユーザが広告の詳細を見たかどうか、または、複数回見たかどうかに関係なく、広告が表示されているだけで広告の有価価値がサービス利用料に追加され，サービス利用料が課金されてしまう。
【先行技術文献】
【特許文献】
【０００９】
【特許文献１】特開２００３−２７１８７５号公報
【発明の概要】
【発明が解決しようとする課題】
【００１０】
解決しようとする問題点は、従来の技術では、実際にユーザが、ウェブサイトにおける広告の詳細を見たかどうか、または、複数回見たかどうかに関係なく、広告が表示されているだけで広告の有価価値がサービス利用料に追加され，サービス利用料が課金されてしまう点である。
【００１１】
本発明の目的は、これら従来技術の課題を解決し、広告を閲覧するユーザの料金負荷を軽減し、ユーザの広告の閲覧を促進させることを可能とすることである。
【課題を解決するための手段】
【００１２】
上記目的を達成するため、本発明では、各種ネットワークサービスを提供することによりユーザから利用料金を徴収するウェブサイトにおいて、ユーザがサービスを利用中に広告の詳細を閲覧した時間や閲覧した回数等によってサービスの利用料金を変動させる。
【発明の効果】
【００１３】
本発明によれば、広告が掲載されているウェブサイトにおいてユーザにサービスを提供する際、ユーザの広告の閲覧状態によってサービス料金の課金方式を変動させ、広告を閲覧するユーザの料金負荷を軽減することができ、ユーザの広告の閲覧を促進させることが可能となる。
【図面の簡単な説明】
【００１４】
【図１】本発明に係るサイトサービス課金システムの構成例を示すブロック図である。
【図２】図１における広告管理部の処理動作例を示すフローチャートである。
【図３】図１におけるログイン管理部の処理動作例を示すフローチャートである。
【図４】図１における広告閲覧時間管理部の処理動作例を示すフローチャートである。
【図５】図１におけるサービス利用料金計算部の処理動作例を示すフローチャートである。
【図６】図１におけるウェブクライアントの表示画面の構成例を示す説明図である。
【発明を実施するための形態】
【００１５】
以下、図を用いて本発明を実施するための形態例を説明する。図１においては、本発明に係るサイトサービス課金システムの構成例を示しており、図示していないインターネットを介して接続されたウェブサーバ１００とウェブクライアント１２０のそれぞれは、ＣＰＵ（Ｃｅｎｔｒａｌ  Ｐｒｏｃｅｓｓｉｎｇ  Ｕｎｉｔ）や主メモリを具備したコンピュータ装置であり、光ディスク駆動装置等を介してＣＤ−ＲＯＭ等の記憶媒体に記録されたプログラムやデータを外部記憶装置内にインストールした後、この外部記憶装置から主メモリに読み込みＣＰＵで処理することにより、各処理部の機能を実行する。
【００１６】
例えば、ウェブサーバ１００は、プログラムされたコンピュータ処理を実行する本発明に係る機能として、広告管理部１１６、ログイン管理部１１７、サービス利用料金計算部１１８、広告閲覧時間管理部１１９を有し、ハードディスク等の記憶装置に、広告管理データ１０１、ログイン管理データ１０２、利用料金単価データ１０３、広告閲覧時間管理データ１０４を格納している。
【００１７】
図１においては、ウェブクライアント１２０を操作するユーザの広告閲覧状態での構成を示している。ユーザの広告閲覧状態とは、広告の閲覧時間や回数などがあるが、本例では閲覧時間を軸に、以下、説明する。
【００１８】
ウェブクライアント１２０を利用するユーザに対して、ウェブサーバ１００が図示していないネットワークを経由して接続されている。ウェブサーバ１００は、通常１台で構成されるが、性能や条件に応じて複数のウェブサーバで構成される場合もある。
【００１９】
ウェブサイト１００において、広告管理部１１６は、ウェブサイトに掲載される広告を広告管理データ１０１として管理し、ログイン管理部１１７は、利用ユーザのサイトへのログイン履歴をログイン管理データ１０２として管理し、サービス料金計算部１１８は、ログイン管理データ１０２と利用料金単価データ１０３および広告閲覧時間管理データ１０４を用いて利用ユーザへのサイト利用料金を算出し、広告閲覧時間管理部１１９は、利用ユーザが広告の詳細を閲覧した日時などを広告閲覧時間管理データ１０４として管理する。
【００２０】
以下、図２〜図６を用いて各部の動作について説明する。まず、広告管理部１１６の処理動作について、図２のフローチャートを用いて説明する。
【００２１】
ウェブサービスサイトへの広告掲載について、サービスサイトが広告主を募集するのが一般的である。ウェブはもちろんのこと、雑誌などの媒体による募集などが考えられる。
【００２２】
サービスサイトにどのような広告が掲載されているのかを管理するため、広告管理部１１６は、広告ＩＤ１０５や広告主のＵＲＬ１０６などの情報を広告管理データ１０１に登録する。
【００２３】
次に、ログイン管理部１１７の処理動作について、図３のフローチャートを用いて説明する。ログインは、ユーザＩＤおよびパスワードにて行われ、正しく認証されることでサービスサイトへのアクセスが許可される。正しく認証が行われない場合は、アクセスは許可されない。
【００２４】
ウェブクライアント１２０を通じて、サービスを利用するユーザが、サービスサイトのシステム（ウェブサーバ１００）にログインすると、ログイン管理部１１７は、ユーザＩＤ１０７、ログイン日時１０８をログイン管理データ１０２に登録し、ユーザＩＤとログイン日時をセッションで保持しておく。
【００２５】
また、ユーザがシステムからログアウトすると、ログイン管理部１１７は、そのユーザのユーザＩＤとセッション情報を基に、ログイン管理データ１０２から該当するデータに対して、ログアウト日時１０９を登録する。
【００２６】
次に、広告閲覧時間管理部１１９の処理動作について、図４のフローチャートと図６に示す表示画面例を用いて説明する。
【００２７】
サービスサイトの画面構成は、例えば、図６の表示画面６０１ようになっており、広告は、サービス提供領域６０２とは別に設けられた広告提供領域６０３において画像リンクなどで表示される。ユーザがマウス等の操作によりそのリンクをクリックすることによって、広告主のサイト６０４がサブウィンドウ等で表示され、アクセスすることが可能となる。
【００２８】
このように、ログイン後のサービスサイトにおいて、ユーザが当該サイトに掲載されている広告をクリックして広告主のサイトを閲覧すると、広告閲覧時間管理部１１９は、閲覧した広告主のサイトＵＲＬを基に、広告管理データ１０１から広告ＩＤ１０５を検索し、広告ＩＤ１１２とユーザＩＤ１１３、閲覧開始日時１１４を、広告閲覧時間管理データ１０４に登録する。その際、ユーザＩＤ、広告ＩＤ、閲覧開始日時はセッションで保持しておく。
【００２９】
広告主のサイトをサブウィンドウで開く処理は、親ウィンドウ側（サービスサイト）でＪａｖａ（登録商標）ｓｃｒｉｐｔにて制御され、サブウィンドウを開いた時点で、上述の検索や登録処理を実行する。
【００３０】
ユーザが広告主のサイトの閲覧を終了すると、広告閲覧時間管理部１１９は、セッション情報を基に、広告閲覧時間管理データ１０４における該当するデータに対して、閲覧終了日時１１５を登録する。
【００３１】
尚、広告主のサイトの閲覧を終了するとは、つまり、サブウィンドウを閉じたタイミングである。親ウィンドウ（サービスサイト）は、自身が開いたサブウィンドウの状態などを制御することが可能であり、サブウィンドウの開閉状態も取得できる。
【００３２】
従って、広告閲覧時間管理部１１９は、このサブウィンドウが閉じられたかどうかを取得する処理を、分単位で実行し、閉じられたという応答があった時点で、広告閲覧時間管理データ１０４における閲覧終了日時１１５を登録する処理を実施する。
【００３３】
次に、サービス料金計算部１１８の処理動作について、図５のフローチャートを用いて説明する。
【００３４】
ユーザに対してサービス利用料を請求する場合、サービス提供元によって、請求期間の定義は、１日、１週間、１ヵ月など様々であるが、サービス料金計算部１１８は、利用料金を計算する対象ユーザのユーザＩＤおよび計算期間を取得し（ステップ５０１）、これらを基に、以下のようにして料金を計算する。
【００３５】
すなわち、サービス料金計算部１１８は、ユーザＩＤと期間を基に、まず、ログイン管理データ１０２を検索し、対象ユーザの対象期間のログインの有無を調べ（ステップ５０２）、履歴があった場合は、ログイン総時間を計算する（ステップ５０３）。
【００３６】
続いて、広告管理データ１０１の登録件数を取得し（ステップ５０４）、件数が１件以上あるか否かを判定し（ステップ５０５）、０件であれば、利用料金単価データ１０３から非閲覧時単価１１１を取得し、先ほど取得したログイン総時間に非閲覧時単価１１１を掛け合わせて、非閲覧単価での利用料金を算出する（ステップ５０６）。
【００３７】
また、ステップ５０５の判定結果で、広告データ１０１の登録件数が１件以上であれば、以下のステップ５０７，５０８での処理を登録広告件数分繰り返す（ステップ５０６）。
【００３８】
ステップ５０７では、対象期間内での広告毎の閲覧時間を、ユーザＩＤ、広告ＩＤ、対象期間を基に、広告閲覧時間管理データ１０４から調べ、ステップ５０８において、総時間数を求める。
【００３９】
同時に２つ以上の広告を閲覧するなどして閲覧時間が重複している場合は（ステップ５０９）、１つの時間数のみを総時間に含める（ステップ５１０）。
【００４０】
その後、利用料金単価データ１０３から閲覧時単価１１０を取得して、先ほど求めた広告閲覧総時間に、閲覧時単価１１０を掛け合わせて広告閲覧時の利用料金を算出する（ステップ５１１）。
【００４１】
そして、ログイン総時間から広告閲覧総時間を差し引いた時間数を求め（ステップ５１２）、求めた時間数に、非閲覧時単価１１１を掛け合わせて、広告非閲覧時の利用料金を算出する（ステップ５１３）。
【００４２】
さらに、算出した利用料金が１円以上であれば（ステップ５１４）、広告閲覧時の利用料金と広告非閲覧時の利用料金を足し合わせて利用料金を算出して（ステップ５１５）、処理を終了する。
【００４３】
以上、図１〜図６を用いて説明したように、本例では、各種ネットワークサービスを提供することによりユーザから利用料金を徴収するウェブサイトにおいて、ユーザがサービスを利用中に広告の詳細を閲覧した時間や閲覧した回数等によってサービスの利用料金を変動させる。
【００４４】
すなわち、ログイン管理部１１７により、サイトへのユーザの連続閲覧時間を計数してログイン管理データ１０２として記憶装置に格納し、広告閲覧時間管理部１１９により、サイトの連続閲覧中における、当該サイトに掲載された広告へのユーザの閲覧時間を、掲載広告毎に計数して広告閲覧時間管理データ１０４として記憶装置に格納し、サービス利用料金計算部１１８により、ログイン管理部１１７が計数した連続閲覧時間に応じたユーザへの課金額を、広告閲覧時間管理部１１９が計数した広告毎の閲覧時間に応じて減額して算出する。
【００４５】
例えば、サービス利用料金計算部１１８は、ログイン管理部１１７が計数した連続閲覧時間から広告閲覧時間管理部１１９が計数した広告毎の閲覧時間の合計を差し引いた時間と当該サイトに対して予め定められた時間単価とを乗算して非閲覧時料金を算出すると共に、広告閲覧時間管理部１１９が計数した各掲載広告毎の閲覧時間と各掲載広告に対して予め定められた時間単価とを乗算して閲覧時料金を算出し、算出した非閲覧時料金と閲覧時料金との合計を、当該ユーザに課金するサービス利用料金として算出する。
【００４６】
このように、本例では、広告が掲載されているウェブサイトにおいてユーザにサービスを提供する際、ユーザの広告の閲覧状態によってサービス料金の課金方式を変動させ、例えば、ユーザの広告の閲覧状態によってユーザに課金するサービス料金を減額して、広告を閲覧するユーザの料金負荷を軽減することができ、ユーザの広告の閲覧を促進させることが可能となる。
【００４７】
尚、本発明は、図１〜図６を用いて説明した例に限定されるものではなく、その要旨を逸脱しない範囲において種々変更可能である。例えば、本例では、サービス利用料金計算部１１８は、ログイン管理部１１７が計数した連続閲覧時間から広告閲覧時間管理部１１９が計数した広告毎の閲覧時間の合計を差し引いた時間と当該サイトに対して予め定められた時間単価とを乗算して非閲覧時料金を算出すると共に、広告閲覧時間管理部１１９が計数した各掲載広告毎の閲覧時間と各掲載広告に対して予め定められた時間単価とを乗算して閲覧時料金を算出し、算出した非閲覧時料金と閲覧時料金との合計を、当該ユーザに課金するサービス利用料金として算出しているが、例えば、サービス利用料金計算部１１８が、ログイン管理部１１７が計数した連続閲覧時間と当該サイトに対して予め定められた時間単価とを乗算して利用料金を算出すると共に、広告閲覧時間管理部１１９が計数した各掲載広告毎の閲覧時間と各掲載広告に対して予め定められた時間単価とを乗算して減額料金を算出し、利用料金から減額料金を差し引いた値を、当該ユーザに課金するサービス利用料金として算出することでも良い。
【００４８】
また、本例では、ウェブサーバ１００において、広告管理データ１０１、ログイン管理データ１０２、利用料金単価データ１０３、広告閲覧時間管理データ１０４を記憶装置に格納している構成としているが、これらの各データを、ウェブサーバ１００とは別に設けたデータベース装置において記憶管理する構成としても良い。
【００４９】
また、本例では、光ディスクを記録媒体として用いてプログラムのインストールを行う構成として説明したが、例えば、通信装置を介してネットワーク経由でプログラムをダウンロードしてインストールする構成としても良い。
【符号の説明】
【００５０】
１００：ウェブサーバ、１０１：広告管理データ、１０２：ログイン管理データ、１０３：利用料金単価データ、１０４：広告閲覧時間管理データ、１０５：広告ＩＤ、１０６：ＵＲＬ、１０７：ユーザＩＤ、１０８：ログイン日時、１０９：ログアウト日時、１１０：閲覧時単価、１１１：非閲覧時単価、１１２：広告ＩＤ、１１３：ユーザＩＤ、１１４：閲覧開始日時、１１５：閲覧終了日時、１１６：広告管理部、１１７：ログイン管理部、１１８：サービス利用料金計算部、１１９：広告閲覧時間管理部、１２０：ウェブクライアント、６０１：表示画面、６０２：サービス提供領域、６０３：広告提供領域、６０４：広告主のサイト。
【図１】
2010224871.tif 000003
【図２】
2010224871.tif 000004
【図３】
2010224871.tif 000005
【図４】
2010224871.tif 000006
【図５】
2010224871.tif 000007
【図６】
2010224871.tif 000008